(57)【要約】  搾乳器（１００）は、左カップ部（１）と、右カップ部（２）と、チューブ（１５、１６、９９）と、ポンプ（３０）と、容器（１４）と、第１切替弁（Ｖ１）と、第２切替弁（Ｖ２）と、制御部（７０）と、を備える。チューブ（９９）の内部空間は、流路（１０）を形成する。流路（１０）は、閉鎖空間（５１）に連通する第１セパレータ（Ｓ１）と、閉鎖空間（５２）に連通する第２セパレータ（Ｓ２）と、ポンプ（３０）の吐出孔（３１）と、ポンプ（３０）の吸引孔（３２）と、を繋ぐ。第１切替弁（Ｖ１）は、流路（１０）の途中であるチューブ（９９）内に設けられている。第２切替弁（Ｖ２）も、流路（１０）の途中であるチューブ（９９）内に設けられている。
2016039083.tif 000002
【特許請求の範囲】
【請求項１】
吐出孔および吸引孔を有するポンプと、
第１接続部を有する第１装着部と、
第２接続部を有する第２装着部と、
前記第１接続部と前記第２接続部と前記吐出孔と前記吸引孔とを繋ぐ流路と、
前記流路の途中に設けられ、前記流路を切替える切替機構と、を備え、
前記切替機構は、前記流路を、
前記第１接続部と前記吸引孔とが連通し、前記第２接続部と前記吐出孔とが連通し、前記第１接続部と前記第２接続部とが連通しない第１形態と、
前記第１接続部と前記吐出孔とが連通し、前記第２接続部と前記吸引孔とが連通し、前記第１接続部と前記第２接続部とが連通しない第２形態と、
に切替える、ことを特徴とする吸引器。
【請求項２】
前記切替機構は、前記流路を、前記第１形態と前記第２形態とに交互に切替える、ことを特徴とする請求項１に記載の吸引器。
【請求項３】
前記切替機構は、前記流路を、前記第１接続部と前記第２接続部とが連通し、前記第１接続部および前記第２接続部の両方と前記吸引孔とが連通し、前記第１接続部および前記第２接続部の両方と前記吐出孔とが連通しない第３形態、に切替える、ことを特徴とする請求項１に記載の吸引器。
【請求項４】
前記流路は、前記流路の外部に繋がる通気孔と前記通気孔を開閉する通気弁とを、前記流路における前記切替機構と前記吐出孔との間に有する、ことを特徴とする請求項１から請求項３のいずれか１項に記載の吸引器。
【請求項５】
前記切替機構は、弁で構成される、ことを特徴とする請求項１から請求項４のいずれか１項に記載の吸引器。
【請求項６】
前記弁は、電磁弁である、ことを特徴とする請求項５に記載の吸引器。
【請求項７】
前記電磁弁は、３ポート電磁弁であることを特徴とする請求項６に記載の吸引器。
【請求項８】
前記ポンプは、圧電素子を有し、前記圧電素子により駆動する、ことを特徴とする請求項１から請求項７のいずれか１項に記載の吸引器。
【発明の詳細な説明】
【技術分野】
【０００１】
この発明は、流体を吸引する吸引器に関する。
【背景技術】
【０００２】
従来、空気等の流体を吸引する吸引器が各種考案されている。例えば、特許文献１には、母親等が母乳を搾るために使用する搾乳器９００が開示されている。【０００３】
図１６は、特許文献１に係る搾乳器９００の構成を示す外観図である。図１７は、図１６に示す搾乳器９００の流路構成を示す説明図である。図１８は、図１７に示すポンプ９３０が駆動している時における、左カップ部９０１内の気圧の変化と右カップ部９０２内の気圧の変化とを示す図である。【０００４】
搾乳器９００は、図１６に示すように、ポンプ９３０を有する吸引駆動ユニット２４と、左乳房に装着する左カップ部９０１と、右乳房に装着する右カップ部９０２と、チューブ９９２と、を備える。この構成により、搾乳器９００は、図１７に示す流路９１０を構成している。ポンプ９３０は、気体の吸引孔９３２と吐出孔９３１を有する。【０００５】
流路９１０は、流路９１０の外部と繋がる孔部９１８と孔部９１８を開閉する切替弁Ｖ９１とを、ポンプ９３０の吸引孔９３２と左カップ部９０１との間に有する。切替弁Ｖ９１は、さらに、ポンプ９３０の吸引孔９３２と左カップ部９０１との連通または閉塞を行う。ここで、吸引孔９３２と左カップ部９０１とが閉塞した場合、左カップ部９０１は流路９１０の外部と連通する。【０００６】
また、流路９１０は、流路９１０の外部と繋がる孔部９１９と孔部９１９を開閉する切替弁Ｖ９２とを、ポンプ９３０の吸引孔９３２と右カップ部９０２との間に有する。切替弁Ｖ９２は、さらに、ポンプ９３０の吸引孔９３２と右カップ部９０２との連通または閉塞を行う。ここで、吸引孔９３２と右カップ部９０２とが閉塞した場合、右カップ部９０２は流路９１０の外部と連通する。【０００７】
以上の構成において、切替弁Ｖ９１と切替弁Ｖ９２とは、図１７に示すように、流路９１０を第１形態と第２形態とに交互に切替える。第１形態は、吸引孔９３２と左カップ部９０１とが連通し、吸引孔９３２と右カップ部９０２とが連通しない（即ち右カップ部９０２は流路９１０の外部と連通する）形態である。第２形態は、吸引孔９３２と左カップ部９０１とが連通せず（即ち左カップ部９０１は流路９１０の外部と連通し）、吸引孔９３２と右カップ部９０２とが連通する形態である。【０００８】
この構成により、搾乳器９００は、１台のポンプ９３０で、左右の乳房を搾乳することができる。
【先行技術文献】
【特許文献】
【０００９】
【特許文献１】特表２０００−５１１４４３号公報
【発明の概要】
【発明が解決しようとする課題】
【００１０】
しかしながら、特許文献１の搾乳器９００は、母乳を吸引する必要があるため、大きな吸引流量を必要とする。そのため、搾乳器９００は、大きな吸引流量を実現することができるよう、大型で高性能なポンプ９３０を備える必要がある。【００１１】
したがって、特許文献１の搾乳器９００を含む従来の吸引器は、大きな吸引流量を実現する場合、大型化し、製品コストも高くなる。【００１２】
本発明の目的は、小型・低コストのポンプで、大きな吸引流量を実現することができる吸引器を提供することにある。
【課題を解決するための手段】
【００１３】
本発明の吸引器は、吐出孔および吸引孔を有するポンプと、
第１接続部を有する第１装着部と、
第２接続部を有する第２装着部と、
第１接続部と第２接続部と吐出孔と吸引孔とを繋ぐ流路と、
流路の途中に設けられ、流路を切替える切替機構と、を備え、
切替機構は、流路を、
第１接続部と吸引孔とが連通し、第２接続部と吐出孔とが連通し、第１接続部と第２接続部とが連通しない第１形態と、
第１接続部と吐出孔とが連通し、第２接続部と吸引孔とが連通し、第１接続部と第２接続部とが連通しない第２形態と、
に切替える。【００１４】
この構成において、第１装着部及び第２装着部は例えば、左右の乳房に装着する。第１装着部は、左乳房に装着することで、乳房と第１装着部との間に第１閉鎖空間を形成する。第１閉鎖空間は第１接続部に連通する。第２装着部は、右乳房に装着することで、乳房と第２装着部との間に第２閉鎖空間を形成する。第２閉鎖空間は第２接続部に連通する。【００１５】
この構成では、ポンプの吐出孔を負圧にした状態で切替機構が流路を第１形態と第２形態とに切替えることで、吸引器は、ポンプの無負荷流量以上の流量を実現できる。【００１６】
したがって、本発明の吸引器は、小型・低コストのポンプで、大きな吸引流量を実現することができる。【００１７】
また、切替機構は、流路を、第１形態と第２形態とに交互に切替えることが好ましい。【００１８】
また、切替機構は、流路を、第１接続部と第２接続部とが連通し、第１接続部および第２接続部の両方と吸引孔とが連通し、第１接続部および第２接続部の両方と吐出孔とが連通しない第３形態、に切替えることが好ましい。【００１９】
この構成では、第３形態の間、ポンプの駆動を停止できるため、消費電力を削減できる。【００２０】
流路は、流路の外部に繋がる通気孔と通気孔を開閉する通気弁とを、流路における切替機構と吐出孔との間に有することが好ましい。【００２１】
この構成では、吸引器を使用しない時に通気弁を開いて流路内を大気圧にしておけるため、流路、第１装着部、及び第２装着部への負荷が小さい。【００２２】
また、通気弁を開いて流路内を大気圧に戻してから、第１装着部及び第２装着部を取り外せるため、人体への負荷が小さい。【００２３】
なお、切替機構は、弁で構成されることが好ましい。弁は、電磁弁であることがより好ましい。電磁弁は、３ポート電磁弁であることがより好ましい。【００２４】
また、ポンプは、圧電素子を有し、圧電素子により駆動することが好ましい。【００２５】
この構成では、駆動時に発生する音や振動が小さい圧電素子を駆動源とすることで、吸引器の静音化を図ることができる。
【発明の効果】
【００２６】
本発明によれば、小型・低コストのポンプで、大きな吸引流量を実現することができる。
【図面の簡単な説明】
【００２７】
【図１】本発明の第１実施形態に係る搾乳器１００の構成（第１形態）を示す説明図である。
【図２】図１に示す搾乳器１００において流路１０が第２形態に切り替わったときの構成を示す説明図である。
【図３】図１に示す搾乳器１００において左カップ部１及び右カップ部２を左右の乳房に装着したときの様子を示す説明図である。
【図４】図１に示す第１切替弁Ｖ１及び第２切替弁Ｖ２の具体的な構成の一例を示す説明図である。
【図５】図４に示す第１切替弁Ｖ１の構成を示す断面図である。
【図６】図４に示す第１切替弁Ｖ１の構成を示す断面図である。
【図７】図１、図２に示すポンプ３０が駆動している時における、左流路２５の気圧の変化と右流路２６の気圧の変化とを示す図である。
【図８】ポンプの吐出孔および吸引孔の差圧と吐出流量との関係を説明する図である。
【図９】本発明の第２実施形態に係る搾乳器２００の構成を説明する概略図である。
【図１０】本発明の第３実施形態に係る搾乳器３００の構成を説明する概略図である。
【図１１】図１０に示すポンプ３０が駆動している時における、左流路２５の気圧の変化と右流路２６の気圧の変化とを示す図である。
【図１２】本発明の第４実施形態に係る搾乳器４００の構成（第１形態）を示す説明図である。
【図１３】図１２に示す搾乳器４００において流路１０が第３形態に切り替わったときの構成を示す説明図である。
【図１４】図１２に示す搾乳器４００において流路１０が第２形態に切り替わったときの構成を示す説明図である。
【図１５】図１２〜図１４に示すポンプ３０が駆動している時における、左流路２５の気圧の変化と右流路２６の気圧の変化とを示す図である。
【図１６】特許文献１に係る搾乳器９００の構成を示す外観図である。
【図１７】図１６に示す搾乳器９００の流路構成を示す説明図である。
【図１８】図１７に示すポンプ９３０が駆動している時における、左カップ部９０１内の気圧の変化と右カップ部９０２内の気圧の変化とを示す図である。
【発明を実施するための形態】
【００２８】
以下、本発明の第１実施形態に係る搾乳器１００について説明する。
【００２９】
図１は、本発明の第１実施形態に係る搾乳器１００の構成（第１形態）を示す説明図である。図２は、図１に示す搾乳器１００において流路１０が第２形態に切り替わったときの構成を示す説明図である。図３は、図１に示す搾乳器１００において左カップ部１及び右カップ部２を左右の乳房に装着したときの様子を示す説明図である。
【００３０】
なお、図１、図２に示す矢印は、空気の流れを示している。図３に示す矢印は、母乳の流れを示している。
【００３１】
搾乳器１００は、左カップ部１と、右カップ部２と、チューブ１５、１６、９９と、ポンプ３０と、容器１４と、第１切替弁Ｖ１と、第２切替弁Ｖ２と、制御部７０と、を備える。
【００３２】
なお、左カップ部１及びチューブ１５は、本発明の第１装着部に相当する。また、右カップ部２及びチューブ１６は、本発明の第２装着部に相当する。また、第１切替弁Ｖ１及び第２切替弁Ｖ２は、本発明の切替機構を構成する。
【００３３】
左カップ部１は、左乳房６１に装着するためのものである。左カップ部１は、チューブ１５と接続する第１流路口１１を有する。左カップ部１は、左乳房６１に装着することで、左乳房６１と左カップ部１との間に閉鎖空間５１を形成する。
【００３４】
チューブ１５の内部空間は、閉鎖空間５１に流路口１１を介して連通する左流路２５を形成する。チューブ９９、１５の境界には、ポンプ３０側の流路１０と容器１４側の左流路２５とを分離する第１セパレータＳ１が設けられている。チューブ９９、１５は、第１セパレータＳ１が設けられている箇所で接続されている。第１セパレータＳ１は、例えば、ゴム膜等の膜状弾性体からなる。第１セパレータＳ１は、その主面がチューブ１５の断面に平行になるように配置されている。
【００３５】
同様に、右カップ部２は、右乳房６２に装着するためのものである。右カップ部２は、チューブ１６と接続する第２流路口１２を有する。右カップ部２は、右乳房６２に装着することで、右乳房６２と右カップ部２との間に閉鎖空間５２を形成する。
【００３６】
チューブ１６の内部空間は、閉鎖空間５２に流路口１２を介して連通する右流路２６を形成する。チューブ９９、１６の境界には、ポンプ３０側の流路１０と容器１４側の右流路２６とを分離する第２セパレータＳ２が設けられている。チューブ９９、１６は、第２セパレータＳ２が設けられている箇所で接続されている。第２セパレータＳ２は、例えば、ゴム膜等の膜状弾性体からなる。第２セパレータＳ２は、その主面がチューブ１６の断面に平行になるように配置されている。
【００３７】
なお、第１セパレータＳ１は、本発明の第１接続部に相当する。また、第２セパレータＳ２は、本発明の第２接続部に相当する。
【００３８】
容器１４は、左乳房６１又は右乳房６２から出た母乳を貯蔵する。容器１４は、チューブ１５を介して左カップ部１に接続し、チューブ１６を介して右カップ部２に接続している。これにより、容器１４の内部空間は、左流路２５、２６を介して閉鎖空間５１、５２に連通している。
【００３９】
なお、チューブ１５には、流体が容器１４から左流路２５へ逆流することを防ぐ逆止弁１８を設けることが好ましい。また、チューブ１６には、流体が容器１４から右流路２６へ逆流することを防ぐ逆止弁１９を設けることが好ましい。
【００４０】
ポンプ３０は、圧電素子を有し、圧電素子により駆動する。ポンプ３０は、空気が吐出される吐出孔３１と、空気が吸引される吸引孔３２とを有する。ポンプ３０の吸引孔３２と吐出孔３１とは、チューブ９９と接続している。
【００４１】
チューブ９９の内部空間は、流路１０を形成する。流路１０は、第１セパレータＳ１と、第２セパレータＳ２と、ポンプ３０の吐出孔３１と、ポンプ３０の吸引孔３２と、を繋ぐ。
【００４２】
なお、チューブ１５、１６、９９の材料は例えば、ポリプロピレンやポリエチレンなどである。
【００４３】
第１切替弁Ｖ１は、流路１０の途中であるチューブ９９内に設けられている。第２切替弁Ｖ２も、流路１０の途中であるチューブ９９内に設けられている。
【００４４】
制御部７０は、第１切替弁Ｖ１及び第２切替弁Ｖ２の開閉を制御する。制御部７０は、例えばマイクロコンピュータで構成される。
【００４５】
以下、第１切替弁Ｖ１及び第２切替弁Ｖ２の具体的な構成の一例について、図４〜図６を用いて説明する。図４〜図６において第１切替弁Ｖ１の構成と第２切替弁Ｖ２の構成とは同じであるため、第１切替弁Ｖ１及び第２切替弁Ｖ２を代表して第１切替弁Ｖ１の構成について説明する。
【００４６】
図４は、図１に示す第１切替弁Ｖ１及び第２切替弁Ｖ２の具体的な構成の一例を示す説明図である。図５は、図４に示す第１切替弁Ｖ１の構成を示す断面図である。図６は、図４に示す第１切替弁Ｖ１の構成を示す断面図である。
【００４７】
第１切替弁Ｖ１は、ポート１２１とポート１２２とポート１２３とが設けられた筐体１２４と、筐体１２４内を摺動する摺動体１２５と、を有する。第１切替弁Ｖ１は、所謂３ポート電磁弁である。
【００４８】
第１切替弁Ｖ１は、制御部７０の指示に基づいて、図５、図６に示すように摺動体１２５を摺動させる。これにより、第１切替弁Ｖ１は、流路を切り替える。第２切替弁Ｖ２も同様の方法で、流路を切り替える。
【００４９】
以上のようにして、第１切替弁Ｖ１と第２切替弁Ｖ２とは、図１、図２に示すように流路１０を第１形態と第２形態とに交互に切替える。
【００５０】
ここで、第１形態は、第１セパレータＳ１と吸引孔３２とが連通し、第２セパレータＳ２と吐出孔３１とが連通し、第１セパレータＳ１と第２セパレータＳ２とが連通しない形態である。
【００５１】
また、第２形態は、第１セパレータＳ１と吐出孔３１とが連通し、第２セパレータＳ２と吸引孔３２とが連通し、第１セパレータＳ１と第２セパレータＳ２とが連通しない形態である。
【００５２】
以下、ポンプ３０が駆動している時の搾乳器１００の動作について説明する。
【００５３】
図７は、図１、図２に示すポンプ３０が駆動している時における、左流路２５の気圧の変化と右流路２６の気圧の変化とを示す図である。図８は、ポンプの吐出孔および吸引孔の差圧と吐出流量との関係を説明する図である。
【００５４】
なお、図７中の各形態におけるＡ点、Ｂ点、Ｃ点は、図８中のＡ点、Ｂ点、Ｃ点に対応している。
【００５５】
まず、図７に示すように、ポンプ３０が駆動を開始する時点では、流路１０は第１形態になっていることとする。さらに、この時点では、左流路２５の圧力は、大気圧になっていることとし、右流路２６の圧力は、負圧になっていることとする。
【００５６】
そして、ポンプ３０が駆動を開始すると、ポンプ３０は、吸引孔３２から空気を吸引し、ポンプ３０側に凸となるように第１セパレータＳ１を弾性変形する。これにより、左流路２５の体積が増える。このようにして、ポンプ３０は、図７に示すＣ点、Ｂ点、Ａ点のように、左流路２５及び閉鎖空間５１に負圧を生じさせる。
【００５７】
このとき、逆止弁１８が逆流を制限するので、容器１４から左流路２５へ空気が吸引されることはない。これにより、左乳房６１から母乳が出る。左乳房６１から左カップ部１を通って出た母乳は、左流路２５に吸引され、容器１４に貯蔵される。
【００５８】
一方、ポンプ３０は、吸引孔３２から吸引した空気を吐出孔３１から吐出し、容器１４側に凸となるように第２セパレータＳ２を弾性変形する。これにより、右流路２６の体積が減る。このようにして、ポンプ３０は、図７に示すＡ点、Ｂ点、Ｃ点のように、右流路２６の圧力を高めていく。
【００５９】
そして、一定時間が経過すると、制御部７０は、流路１０を第１形態から第２形態に切替えるよう、第１切替弁Ｖ１と第２切替弁Ｖ２とに指示する。
【００６０】
次に、流路１０に第２形態に切替わると、ポンプ３０は、吸引孔３２から空気を吸引し、ポンプ３０側に凸となるように第２セパレータＳ２を弾性変形する。これにより、右流路２６の体積が増える。このようにして、ポンプ３０は、図７に示すＣ点、Ｂ点、Ａ点のように、右流路２６及び閉鎖空間５２に負圧を生じさせる。
【００６１】
このとき、逆止弁１９が逆流を制限するので、容器１４から右流路２６へ空気が吸引されることはない。これにより、右乳房６２から母乳が出る。右乳房６２から右カップ部２を通って出た母乳は、右流路２６に吸引され、容器１４に貯蔵される。
【００６２】
一方、ポンプ３０は、吸引孔３２から吸引した空気を吐出孔３１から吐出し、容器１４側に凸となるように第１セパレータＳ１を弾性変形する。これにより、右流路２６の体積が減る。このようにして、ポンプ３０は、図７に示すＡ点、Ｂ点、Ｃ点のように、左流路２５の圧力を高めていく。
【００６３】
そして、一定時間が経過すると、制御部７０は、流路１０を第２形態から第１形態に切替えるよう、第１切替弁Ｖ１と第２切替弁Ｖ２とに指示する。
【００６４】
以後、ポンプ３０が駆動している間、制御部７０は、図７に示すように、流路１０を第１形態と第２形態とに交互に切替える。そのため、ポンプ３０が駆動している間、左流路２５の圧力と右流路２６の圧力とは、図７に示すように、同じ変化を繰り返す。
【００６５】
以上の動作では、搾乳器１００は、ポンプ３０の吐出孔３１が負圧となっている。そのため、搾乳器１００は、ポンプ３０の無負荷流量以上の流量を実現できる。
【００６６】
よって、搾乳器１００は、左流路２５又は右流路２６のいずれか一方の排気時間を短縮できる。また、左流路２５又は右流路２６のいずれか他方も、ポンプ３０の流量を活用できるため、短時間で大気開放できる。
【００６７】
以下、ポンプ３０を含むポンプの圧力と流量の関係について詳述する。
【００６８】
図８に示すように、ポンプの吐出孔と吸引孔の差圧がΔＰの時の流量をＱとすると、ΔＰとＱは、Ｑ／Ｑ０＋ΔＰ／Ｐ０＝１の関係を満たす。従って、Ｑ＝Ｑ０（１−ΔＰ／Ｐ０）となる。
【００６９】
図１７に示す特許文献１の搾乳器９００の場合、吐出孔９３１の圧力は常に、大気圧Ｐａである。例えば、左カップ部９０１内の圧力（＝吸引孔９３２の圧力）がＰａ−Ｐｃの場合、差圧ΔＰ＝Ｐｃのため、Ｑ＝Ｑ０（１−Ｐｃ／Ｐ０）となる。
【００７０】
一方、本実施形態の搾乳器１００の場合、吸引中の右カップ部２の圧力（＝吸引孔３２の圧力）がＰａ−Ｐｃの時、給気中の左カップ部１の圧力（＝吐出孔３１の圧力）がＰａ−（Ｐ０−Ｐｃ）となるように動作させると、差圧ΔＰ＝２Ｐｃ−Ｐ０となり、Ｑ＝Ｑ０｛１−（２Ｐｃ−Ｐ０）／Ｐ０｝=２Ｑ０（１−Ｐｃ／Ｐ０）となる。
【００７１】
すなわち、本実施形態の搾乳器１００は、搾乳器９００を含む従来の吸引器に比べて、２倍の流量を実現できる。したがって、本実施形態の搾乳器１００は、小型・低コストの１台のポンプで、大きな吸引流量を実現することができる。
【００７２】
また、ポンプ３０は、駆動時に発生する音や振動が小さい圧電素子を駆動源としているため、搾乳器１００の静音化を図ることができる。
【００７３】
以下、本発明の第２実施形態に係る搾乳器２００について説明する。
【００７４】
図９は、本発明の第２実施形態に係る搾乳器２００の構成を説明する概略図である。
【００７５】
第２実施形態に係る搾乳器２００が前述の搾乳器１００と相違する点は、第１切替弁Ｖ１及び第２切替弁Ｖ２の配置である。その他の構成は同じであるため、説明を省略する。
【００７６】
チューブ２９９の内部空間は、流路２１０を形成する。流路２１０も、閉鎖空間５１に左流路２５を介して連通する第１セパレータＳ１と、閉鎖空間５２に右流路２６を介して連通する第２セパレータＳ２と、ポンプ３０の吐出孔３１と、ポンプ３０の吸引孔３２と、を繋ぐ。
【００７７】
第１切替弁Ｖ１は、流路２１０の途中であるチューブ２９９内に設けられている。第２切替弁Ｖ２も、流路２１０の途中であるチューブ２９９内に設けられている。
【００７８】
したがって、この実施形態の搾乳器２００によれば、搾乳器１００と同様の効果を奏する。
【００７９】
以下、本発明の第３実施形態に係る搾乳器３００について説明する。
【００８０】
図１０は、本発明の第３実施形態に係る搾乳器３００の構成を説明する概略図である。第３実施形態に係る搾乳器３００が前述の搾乳器１００と相違する点は、通気孔３１９及び通気弁Ｖ３である。その他の構成は同じであるため、説明を省略する。
【００８１】
チューブ３９９の内部空間は、流路３１０を形成する。流路３１０は、流路３１０の外部と繋がる通気孔３１９と通気孔３１９を開閉する通気弁Ｖ３とを、ポンプ３０の吐出孔３１と第１切替弁Ｖ１及び第２切替弁Ｖ２との間に有する。
【００８２】
そして、第１切替弁Ｖ１と第２切替弁Ｖ２とは、ポンプ３０が駆動を開始する前、初期形態に切り替えている。そして、第１切替弁Ｖ１と第２切替弁Ｖ２とは、ポンプ３０が駆動を開始した後、流路１０を第１形態と第２形態とに交互に切替える。
【００８３】
ここで、初期形態は、図１０に示すように通気弁Ｖ３が開き（大気開放し）、第１セパレータＳ１と吸引孔３２とが連通し、第２セパレータＳ２と吐出孔３１とが連通し、第１セパレータＳ１と第２セパレータＳ２とが連通しない形態である。
【００８４】
また、第１形態は、通気弁Ｖ３が閉じ、第１セパレータＳ１と吸引孔３２とが連通し、第２セパレータＳ２と吐出孔３１とが連通し、第１セパレータＳ１と第２セパレータＳ２とが連通しない形態である。
【００８５】
また、第２形態は、通気弁Ｖ３が閉じ、第１セパレータＳ１と吐出孔３１とが連通し、第２セパレータＳ２と吸引孔３２とが連通し、第１セパレータＳ１と第２セパレータＳ２とが連通しない形態である。
【００８６】
以下、ポンプ３０が駆動している時の搾乳器３００の動作について説明する。
【００８７】
図１１は、図１０に示すポンプ３０が駆動している時における、左流路２５の気圧の変化と右流路２６の気圧の変化とを示す図である。
【００８８】
まず、ポンプ３０が駆動を開始する時点では、流路３１０は、図１０に示すように初期形態になっていることとする。そのため、この時点では、左流路２５の圧力と、右流路２６の圧力とは、大気圧になっている。
【００８９】
そして、ポンプ３０が駆動を開始すると、ポンプ３０は、吸引孔３２から空気を吸引し、ポンプ３０側に凸となるように第１セパレータＳ１を弾性変形する。これにより、左流路２５の体積が増える。このようにして、ポンプ３０は、図１１に示すように、閉鎖空間５１及び左流路２５に負圧を生じさせる。
【００９０】
このとき、逆止弁１８が逆流を制限するので、容器１４から左流路２５へ空気が吸引されることはない。これにより、左乳房６１から母乳が出る。左乳房６１から左カップ部１を通って出た母乳は、左流路２５に吸引され、容器１４に貯蔵される。
【００９１】
一方、ポンプ３０は、吸引孔３２から吸引した空気を吐出孔３１から吐出し、通気孔３１９から排出する。
【００９２】
そして、一定時間が経過すると、制御部７０は、流路３１０を初期形態から第２形態に切替えるよう、第１切替弁Ｖ１と第２切替弁Ｖ２と通気弁Ｖ３とに指示する。
【００９３】
以後、ポンプ３０が駆動している間、制御部７０は、図１１に示すように、流路３１０を第１形態と第２形態とに交互に切替える。そのため、ポンプ３０が駆動している間、左流路２５の圧力と右流路２６の圧力とは、図１１に示すように、同じ変化を繰り返す。
【００９４】
したがって、この実施形態の搾乳器３００によれば、搾乳器１００と同様の効果を奏する。
【００９５】
また、搾乳器３００を使用しない時に流路３１０内を大気圧にしておけるため、チューブ３９９、左カップ部１、及び右カップ部２への負荷が小さい。
【００９６】
また、流路３１０内を大気圧に戻してから、左カップ部１及び右カップ部２を取り外せるため、乳房６１、６２への負荷が小さい。
【００９７】
さらに、駆動中に通気バルブＶ３を開閉することで、左流路２５及び右流路２６の圧力波形制御が容易となる。
【００９８】
以下、本発明の第４実施形態に係る搾乳器４００について説明する。
【００９９】
図１２は、本発明の第４実施形態に係る搾乳器４００の構成（第１形態）を示す説明図である。図１３は、図１２に示す搾乳器４００において流路１０が第３形態に切り替わったときの構成を示す説明図である。図１４は、図１２に示す搾乳器４００において流路１０が第２形態に切り替わったときの構成を示す説明図である。
【０１００】
第４実施形態に係る搾乳器４００が前述の搾乳器１００と相違する点は、ポンプ３０が駆動している時の動作である。その他の構成は同じであるため、説明を省略する。
【０１０１】
以下、ポンプ３０が駆動している時の搾乳器４００の動作について説明する。
【０１０２】
図１５は、図１２〜図１４に示すポンプ３０が駆動している時における、左流路２５の気圧の変化と右流路２６の気圧の変化とを示す図である。
【０１０３】
第１切替弁Ｖ１と第２切替弁Ｖ２とは、ポンプ３０が駆動を開始した後、流路１０を、第１形態と第２形態と第３形態とに交互に切替える。第１切替弁Ｖ１と第２切替弁Ｖ２とは、第３形態が第１形態と第２形態との間に挟まれるよう、流路１０を切替える。
【０１０４】
ここで、第１形態は、第１セパレータＳ１と吸引孔３２とが連通し、第２セパレータＳ２と吐出孔３１とが連通し、第１セパレータＳ１と第２セパレータＳ２とが連通しない形態である。
【０１０５】
また、第２形態は、第１セパレータＳ１と吐出孔３１とが連通し、第２セパレータＳ２と吸引孔３２とが連通し、第１セパレータＳ１と第２セパレータＳ２とが連通しない形態である。
【０１０６】
また、第３形態は、第１セパレータＳ１及び第２セパレータＳ２の両方と吸引孔３２とが連通し、第１セパレータＳ１及び第２セパレータＳ２の両方と吐出孔３１とが連通せず、第１セパレータＳ１と第２セパレータＳ２とが連通する形態である。
【０１０７】
そのため、搾乳器４００では、ポンプ３０が駆動している間、左流路２５の圧力と右流路２６の圧力とは、図１５に示すように、同じ変化を繰り返す。
【０１０８】
したがって、この実施形態の搾乳器４００によれば、搾乳器１００と同様の効果を奏する。
【０１０９】
さらに、第３形態の間はポンプ３０の駆動を停止できるため、消費電力を削減できる。
【０１１０】
《その他の実施形態》
なお、前述の実施形態におけるポンプ３０は、圧電素子の伸縮によって屈曲振動するアクチュエータを備えるが、これに限るものではない。例えば、電磁駆動で屈曲振動するアクチュエータを備えてもよい。
【０１１１】
また、前記実施形態では、流路を通過させる流体として空気を使用しているが、これに限るものでは無い。実施の際、例えば、空気以外の気体でも構わない。
【０１１２】
また、前記実施形態では、圧電駆動のポンプ３０を使用しているが、これに限るものでは無い。実施の際、例えば、電磁駆動のポンプを使用しても構わない。
【０１１３】
また、前記実施形態では、第１装着部および第２装着部を左右の乳房に装着して母乳を吸引しているが、これに限るものでは無い。実施の際、例えば、他の液体（鼻水等）を吸引しても構わない。
【０１１４】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【０１１５】
１…左カップ部
２…右カップ部
１０…流路
１１…第１流路口
１２…第２流路口
１４…容器
１５…チューブ
１６…チューブ
１８…逆止弁
１９…逆止弁
２４…吸引駆動ユニット
２５…流路
２６…流路
３０…ポンプ
３１…吐出孔
３２…吸引孔
５１…閉鎖空間
５２…閉鎖空間
６１…左乳房
６２…右乳房
７０…制御部
９９…チューブ
１００…搾乳器
１２１…ポート
１２２…ポート
１２３…ポート
１２４…筐体
１２５…摺動体
２００…搾乳器
２１０…流路
２９９…チューブ
３００…搾乳器
３１０…流路
３１９…通気孔
３９９…チューブ
４００…搾乳器
９００…搾乳器
９０１…左カップ部
９０２…右カップ部
９１０…流路
９１８…孔部
９１９…孔部
９３０…ポンプ
９３１…吐出孔
９３２…吸引孔
９９２…チューブ
Ｓ１…第１セパレータ
Ｓ２…第２セパレータ
Ｖ１…第１切替弁
Ｖ２…第２切替弁
Ｖ３…通気弁
Ｖ９１…切替弁
Ｖ９２…切替弁
【図１】
2016039083.tif 000003
【図２】
2016039083.tif 000004
【図３】
2016039083.tif 000005
【図４】
2016039083.tif 000006
【図５】
2016039083.tif 000007
【図６】
2016039083.tif 000008
【図７】
2016039083.tif 000009
【図８】
2016039083.tif 000010
【図９】
2016039083.tif 000011
【図１０】
2016039083.tif 000012
【図１１】
2016039083.tif 000013
【図１２】
2016039083.tif 000014
【図１３】
2016039083.tif 000015
【図１４】
2016039083.tif 000016
【図１５】
2016039083.tif 000017
【図１６】
2016039083.tif 000018
【図１７】
2016039083.tif 000019
【図１８】
2016039083.tif 000020
【国際調査報告】
2016039083.tif 000021
2016039083.tif 000022
2016039083.tif 000023